(57)【要約】 【課題】  意匠上見栄え良く、また、外部的な攻撃や悪戯にも防御できること。【解決手段】  扉の壁面に固定される台座と、該台座に軸支された操作部材とを備えた扉用ハンドル装置に於いて、前記台座は、前記壁面に形成した嵌合凹所に嵌合する嵌入部分と、該嵌入部分に連設すると共に、前記壁面に表側から重合する露呈部分とを有し、前記嵌入部分には、錠機構の錠止片を作動させ得ると共に、前記操作部材のアーム部に設けた駆動片と共働する駆動片を軸支したこと。【選択図】  図４
2006322214.tif 000002
【特許請求の範囲】
【請求項１】
扉に固定される台座と、該台座にアーム部の一端部が軸支されると共に、該一端部に駆動片を有する操作部材とを備えた扉用ハンドル装置に於いて、前記台座は、前記扉の壁面に表側から重合する露呈部分と、該露呈部分に連設してあり、扉の嵌合凹所に嵌合する嵌入部分と、嵌入部分の表側に位置し、前記アーム部の一端部を軸止するための凹所部分とを有し、凹所部分の底部には駆動片が挿通する開口が設けてあり、前記嵌入部分の裏側に前記駆動片に連動して回動する連動部材を回動自在に取付けるための軸部分が設けてあり、連動部材と扉の錠箱側のラッチング機構の仮施錠片又は本施錠機構の錠止片とが係合していることを特徴とする扉用ハンドル装置。
【請求項２】
請求項１に於いて、軸部分は、操作部材の駆動片により動かされる第１連動片を軸支する第１軸部分と、この第１連動片に係合する第２連動片を軸支する第２軸部分であることを特徴とする扉用ハンドル装置。
【請求項３】
請求項１又は請求項２に於いて、台座の嵌入部分に連設する露呈部分は長尺状に形成されていることを特徴とする扉用ハンドル装置。
【請求項４】
請求項１に於いて、ハンドル装置の連動部材は所定間隔を有して上下或いは左右に一組設けられていることを特徴とする扉用ハンドル装置。
【請求項５】
請求項４に於いて、連動部材は同一形態であり、対称的に配設されていることを特徴とする扉用ハンドル装置。
【請求項６】
扉の壁面に固定される台座と、該台座に軸支された操作部材とを備えた扉用ハンドル装置に於いて、前記台座は、前記壁面に形成した嵌合凹所に嵌合する嵌入部分と、該嵌入部分に連設すると共に、前記壁面に表側から重合する露呈部分とを有し、前記嵌入部分には、錠機構の錠止片を作動させ得ると共に、前記操作部材のアーム部に設けた駆動片と共働する駆動片を軸支したこと。
【発明の詳細な説明】
【技術分野】
【０００１】
本発明はラッチング機構を備えた引戸や開き戸に適合する扉用ハンドル装置に関する。
【背景技術】
【０００２】
特許文献１に記載の構成中の扉用ハンドル装置に於いて、例えば扉の壁面に取付けられる内側ハンドルは、扉の内壁面に垂直方向に固定された長い取付け板と、この取付け板の外側に重ね合わせるように突設状態に固定された長尺状の台座とで構成された固定側部材に、内側ハンドルの上下端部にそれぞれ固定された上下一組の台座用カバー及び角筒状連結体を介して壁面に対して直交方向へ移動可能に設けられ、しかも、内側ハンドルは、前記角筒状連結体にそれぞれ設けられた係止ピン、嵌合溝等の係合構造により、外側ハンドルと一体的に連結されていた。
【０００３】
上記扉用ハンドル装置に於いては、内側ハンドル又は外側ハンドルのどの部位を押し（プッシュ）、或いは引く（プル）操作をしても、扉に向かって直交方向にスライドするという利点がある。
【０００４】
しかしながら、前記扉用ハンドル装置の固定側部材は、扉の内壁面に突出状態に固定された取付け板と、この取付け板の上下部にさらに突出状態に固定された台座とで構成されていること、一方、可動側のハンドルの台座カバーや固定部材側に嵌合する外側ハンドル係合用の角筒状連結体は、扉の壁面を基準にすると、壁面から外側（例えば室内）に位置付けられていること、さらに、錠前内装のラッチング機構の仮施錠部材（例えばラッチ板用仮施錠片）と係合関係にある係合片（特許文献１では「取付け板に枢支されたＬ型レバー」）、ハンドルを水平状態に案内する平行リンク機構等のハンドル装置を構成する各部材は、取付け板と台座とで形成された台座等の内部空間に組み込まれ、しかも、前記平行リンク機構を構成する複数本のリンクは、台座等の内部空間に縦方向に位置するストレート形状の揺動レバーであると共に、壁面に対して交差状態に配設される。
【０００５】
このように、従来の扉用ハンドル装置は、基本的には、扉の壁面の外側に突出する取付け板や台座に設けることを基本的なスタイルとしていた。
【０００６】
ところで、時代の流行性を考慮すると、特許文献１，２とは逆に、「扉の壁面から台座や駆動部材ないし連動部材（錠箱側のラッチング機構の仮施錠片又は本施錠機構の錠止片を作動させるための部材）を台座側或いは扉の壁の内部に位置付けることが好ましい場合がある。
【０００７】
それは、扉用ハンドル装置の意匠的観点から考察すると、操作部材の握り部分の突出量（壁面からの突出）が少なくなり、需要者に対して操作部材の壁面一体感の印象を与えることができ、一方、技術的観点から考察すると、駆動部材ないし連動部材が外部から容易に攻撃や悪戯を受けないからである。
【特許文献１】特開平１１−３２４４１８（特許第３５０３１０５号）
【特許文献２】特開２００３−３１４０９４
【発明の開示】
【発明が解決しようとする課題】
【０００８】
本発明の第１の目的は、特許文献１，２の抱えている問題点を解消し、特に、需要者に対して操作部材の壁面一体感の印象を与えることができ、また、錠機構用の駆動部材ないし連動部材が外部から容易に攻撃や悪戯を受けない扉用ハンドル装置を提案することである。第２の目的は、台座の裏側に連動部材を簡単に取付けることができることである。
【課題を解決するための手段】
【０００９】
本発明の扉用ハンドル装置は、扉に固定される台座と、該台座にアーム部の一端部が軸支されると共に、該一端部に駆動片を有する操作部材とを備えた扉用ハンドル装置に於いて、前記台座は、前記扉の壁面に表側から重合する露呈部分と、該露呈部分に連設してあり、扉の嵌合凹所に嵌合する嵌入部分と、嵌入部分の表側に位置し、前記アーム部の一端部を軸止するための凹所部分とを有し、凹所部分の底部には駆動片が挿通する開口が設けてあり、前記嵌入部分の裏側に前記駆動片に連動して回動する連動部材を回動自在に取付けるための軸部分が設けてあり、連動部材と扉の錠箱側のラッチング機構の仮施錠片又は本施錠機構の錠止片とが係合していることを特徴とする。
【００１０】
上記構成に於いて、軸部分は、操作部材の駆動片１６により動かされる第１連動片１７を軸支する第１軸部分１１と、この第１連動片に係合する第２連動片１８を軸支する第２軸部分１２であることを特徴とする。また、ハンドル装置の操作部材１５Ａは、プッシュ・プル式であり、これに対応する台座７Ａの嵌入部分９に連設する露呈部分８は長尺状に形成されていることを特徴とする。また、ハンドル装置の連動部材１７，１８は所定間隔を有して上下或いは左右に一組設けられていることを特徴とする。さらに、連動部材１７，１８は同一形態であり、対称的に配設されていることを特徴とする。
【００１１】
ここで、「表側から重合する」とは、台座の露呈部分（フランジ部分）が扉の壁面から突出する場合や扉の壁面と略面一状態の場合を意味する。後者の場合には、台座の露呈部分を壁面に形成した横向き嵌合凹所に嵌合した場合が実施例であるから、厳格なる面一性を要求するものではない。
【発明の効果】
【００１２】
（１）ハンドル装置を構成する操作部材側の駆動片、該駆動片に連動する連動部材を扉の内部に位置付けたので、意匠上見栄え良く、また、外部的な攻撃や悪戯にも防御できる。
（２）請求項２に記載の発明は、台座の裏側に連動部材を簡単に装着することができる。また、複数個の軸部分に連動部材をそれぞれ装着することができるから、本実施例のように、連動部材の一つを扉の錠箱側のラッチング機構の仮施錠片又は本施錠機構の錠止片の係合位置に対応させることができる。
（３）請求項３及び請求項４に記載の発明は、ハンドル装置の操作部材の握り部分１５ａを長杆状に形成することができるので、プッシュ・プル式に適合する。
（４）請求項５に記載の発明は、「２個のハンドル装置」を設けた場合に於いて、部品点数を減らし、安価に製作することができる。
（５）請求項６に記載の発明は、台座に扉の壁面に形成した嵌合凹所に嵌合する嵌入部分を形成し、該嵌入部分には、錠機構の錠止片を作動させ得ると共に、前記操作部材のアーム部に設けた駆動片と共働する連動片を軸支した（駆動片に連動する連動部材を扉の内部に位置付けた）ので、意匠上見栄え良く、また、外部的な攻撃や悪戯にも防御できる。
【発明を実施するための最良の形態】
【００１３】
図１乃至図７は、本発明の一実施例（基本的構成  ）を示す各説明図である。特に、図１及び図２は、実施の環境を含む本発明の基本的構成を示す概念図である。図３は本発明のハンドル装置の主な構成部材（駆動片、連動部材）の連動関係を示す説明図である。なお、本発明の主要部をそのまま含んだ利用発明についいては、実施例の欄で説明する。
【００１４】
（１）実施の環境を含む基本的構成を示す説明図
まず、図１乃至図３を参照にして本発明の基本的な技術思想を説明する。１は扉である。扉１には、引戸、開閉扉と称される物が含まれる。２は扉の壁面である。壁面２は内壁面又は外壁面を意味する。３は壁面（例えば外壁面、或いは内壁面）に縦方向に形成された開口、切欠、凹所等である。壁面２に固定される内外の台座を連結するための貫通孔を含む開口、切欠、凹所等は、説明の便宜上、ここでは台座用嵌合凹所３と称する。この台座用嵌合凹所３には、台座の裏側に突出形成した単数又は複数個の軸部分が入り込む。
４は扉１の自由端部に内装された錠箱である。錠箱４には、例えば当業者に「ラッチング機構（仮施錠装置）、本施錠機構（本施錠装置）等」と称される錠前の各構成部材が適宜組み込まれている。また、錠箱４には、例えばラッチング機構のラッチ板５用と係合（係脱も含む）する仮施錠片６が設けられ、該仮施錠片６は、錠箱４の後壁側の上部位置又は下部位置に上下動可能に配設されている。
【００１５】
したがって、仮施錠片６は、後述するハンドル装置の構成部材により、例えば図１で示す矢印方向へ引き下げられると、ラッチ板５は自由となり、ラッチング機構は解錠状態となる。もちろん、仮施錠片６が本施錠装置用の錠止片である場合には、当該錠前の本施錠状態が解錠状態となる。
【００１６】
さて、上記環境に於いて、７は台座である。本実施例の台座７は、扉１の壁面から突出する、或いは壁面２に形成した横向き嵌合凹所に略面一状に嵌合する板状の露呈部分（フランジ部分）８と、該露呈部分８に連設すると共に、台座７の裏側に扉１の嵌合凹所３に嵌合可能な嵌入部分９と、台座７の表側にアーム部の一端部を軸止するための凹所部分１０とを有する。
【００１７】
そして、前記嵌入部分９に操作部材のアーム部に設けた駆動片と共働する連動片を軸支している。具体的には、前記嵌入部分９の裏側に後述の駆動片１６に連動する連動部材１７，１８を取付けるための軸部分を形成し、連動部材と扉１の錠箱４側のラッチング機構の仮施錠片又は本施錠機構の錠止片（錠機構の錠止片）とが係合している。
【００１８】
付言すれば、台座７は、扉１の壁面２を基準にすると、例えば該壁面２からやや突出する長板状の露呈部分（台座カバーを有する場合も含む）８と、この板状露呈部分８の裏側に連設する単数又は複数個（本実施例）の連動部材装着用の嵌入部分９とから構成されている。
【００１９】
図２を基準にすると、嵌入部分９は、操作部材の一端部（挿入端部）を軸支するための表側凹所部分１０と、この凹所部分１０よりも下方に位置する第１軸部分１１と、凹所部分１０よりも上方（第１軸部分１１とは反対側）に位置する軸部兼用連結部（ここでは「第２軸部分」と称する）１２とから成り、前記凹所部分１０の垂直壁からは操作部材１５に固定した駆動片１６が水平状態に突出している。
【００２０】
また、前記第１軸部分１１には操作部材１５の駆動片１６により動かされるレバー形状の第１連動片１７の一端部（図では下端部又は上端部）が軸支されている。換言すると、連動片１７は駆動片１６と共働する。
【００２１】
さらに、前記第２軸部分１２には、前記第１連動片１７の係合端部１７ａに係合する第２連動片１８が軸支されている。したがって、本実施例では、連動片１８は連動片１７を介して駆動片１６と共働する。
【００２２】
そして、第２連動片１８は、前述したラッチ板用仮施錠片６（又は図示しない錠止片）の係合部（例えば係合孔）６ａに係合する係合突起１８ｂ等を有している。
（２）ハンドル装置の主要部材の動き
図３の（ａ）乃至（ｄ）は、操作部材１５の駆動片１６と、扉内部の第１連動片１７及び第２連動片１８との相互の連動関係を順番に示したものである。本発明の各部材の細部的事項を説明する前に、ハンドル装置を構成する主たる部材の動きを説明する。
【００２３】
本実施例では、操作部材１５と関係（係合）する第１連動片１７は係合端部１７ａが、例えばＬ形状に折り曲げされたレバーであり、また第１連動片１７と関係する第２連動片１８は、周縁部に前記係合端部１７ａと係合する突片状の第１係合部１８ａと、ラッチ板５用仮施錠片６と係合する突片状の第２係合部１８ｂとをそれぞれ有している。
【００２４】
図３（ａ）は、操作部材１５が復帰バネで初期位置に戻った場合に於ける操作部材１５の駆動片１６と台座７側の第１連動片１７との位置関係を示す。この場合、第１連動片１７は略垂直状態に起立し、また、駆動片１６の先端部１６ａは、第１連動片１７の側辺の係合端部１７ａ寄りの部位に位置している。この両者の位置関係から、駆動片１６が矢印Ｂ方向へ移動すると、第１連動片１７は下方の第１軸部分１１を支点にして反時計方向に回転可能である。
【００２５】
図３（ｂ）は、図１で示した操作部材１５を同図の矢印Ａ方向に押した場合に於ける第１連動片１７の動きを示す。前述したように、駆動片１６の先端部は第１連動片１７の側辺に当たっているから、駆動片１６が図１の矢印Ｂ方向、或いは図３（ａ）の矢印Ｂ方向へ移動すると、第１連動片１７は第１軸部分１１を支点にして矢印Ｃの反時計方向に回転する。
【００２６】
図３（ｃ）は、台座７の第２軸部分１２に回転自在に嵌合した第２連動片１８が、第１連動片１７の係合端部１７ａ及び第２連動片１８の第１係合部１８ａを介して同図の矢印Ｄ方向に回転した動きを示す。同図に於いて、第１連動片１７が矢印Ｃの反時計方向に回転すると、第２連動片１８は第２軸部分１２を支点にして矢印Ｄの時計方向に回転する。そうすると、当然のことながら、第２係合部１８ｂは周方向へ移行する。
【００２７】
図３（ｄ）は、第２連動片１８が矢印Ｄの時計方向に回転した結果、第２連動片１８の突片状第２係合部１８ｂ及び仮施錠片６の係合部６ａを介して該仮施錠片６が矢印Ｅの係合解除方向へ移動したことを示す。これにより扉１を自由に開くことが可能となる。
【００２８】
上記図３（ａ）乃至図３（ｄ）の作動態様は、ハンドル装置の操作部材１５が、プッシュ・プル式であり、これに対応する台座７Ａの板状露呈部分８が長板状に形成され、また、ハンドル装置の連動部材１７，１８が所定間隔を有して上下或いは左右に一組設けられている場合も同様である。実施例の欄の利用発明では、連動部材は同一形態であり、長尺状の台座７Ａの上下部に対称的に配設されていることから、他方の連動部材は、一方の連動部材に対して反対方向に回転する。しかし、基本的な作用・効果は同一である。
【００２９】
（３）第１実施例の各部材の用語と符号
図４乃至図７に示す第１実施例は、本発明の基本的構成の扉用ハンドル装置を「１個」用いた一例である。この第１実施例を説明するに当たって、説明の便宜上、前項の用語及び符号をそのまま使用する。
【００３０】
したがって、扉１、その壁面２、壁面に形成した嵌合凹所３、扉に内装した錠箱４、錠箱内のラッチ板５、ラッチ板と係脱する仮施錠片６、仮施錠片の係合部６ａ、扉の嵌合凹所３に嵌め込まれる台座７、該台座の板状露呈部分８、台座の裏側の嵌入部分９、台座の露呈部分８ないし嵌入部分９に形成した操作部材の基部用の横向き凹所部分１０、台座７の裏面に突出形成した第１軸部分１１及び第２軸部分１２、台座７に軸支されるハンドル形状の操作部材１５、操作部材のアーム部の基部に固定された駆動片１６、第１軸部分１１に軸支された第１連動片１７、第２軸部分１２に軸支された第２連動片１８、第２連動片１８の第１係合部１８ａ及び突起状の第２係合部１８ｂの各用語と符号は、そのまま援用している。なお、細部的事項の符号は、極力割愛する。
【００３１】
（４）各部材の具体的構成
まず、図４を基準にして台座７を説明する。台座７の中心部には、露呈部分８から中心部の嵌入部分９に向かって横向き凹所１０が形成されている。この横向き凹所１０にハンドル形状の操作部材１５の垂直握り部１５ａに交差する水平アーム部１５ｂの一端部が余裕を持って入り込んでいる。
【００３２】
しかして、水平アーム部１５ｂの一端部には、挿入先端面から垂直握り部１５ａに向かって所要の切欠部２１が形成されていると共に、該切欠部２１に連通する複数個（２個）の垂直ピン用の取付け孔（案内孔及び枢支孔）が形成されている。
【００３３】
水平アーム部１５ｂの一端部には、図４，図５で示すように、複数個の固着具を介して断面チャンネル形状の軸受け片２２が固定され、本実施例では、水平板状の駆動片１６は、該軸受け片２２の一方（上方）の上面に垂直ピンを介して固定的に設けられている。
【００３４】
駆動片１６の指先状先端部１６ａは、図６で示すように台座７の断面ハット型形状の奥側垂直壁に形成した水平方向の案内開口２３から突出している。また、番号を付さない垂直ピンの一つには、操作部材１５用の復帰バネ２４の中央部が適宜に巻装されている。
【００３５】
なお、復帰バネ２４の一端部は他の垂直ピンに圧接していると共に、その他端部はアーム一端部の縁に圧接している。また、操作部材１５は、例えばプッシュ式であることから、垂直ピンの一つは固定側の枢軸としての機能を有し、他は案内長孔に案内される可動側の支持軸としての機能を有している。
【００３６】
次に、台座７の嵌入部分９の上下端部には、筒状取付け部２５，２６が水平状態に延びている。これらの筒状取付け部２５，２６には、図示しない一方の操作部材（例えば外側ハンドル用台座）の螺杆部２７，２８がそれぞれ螺合する。本実施例では、下方の筒状取付け部２６と断面ハット型形状の嵌入部分９との間に多少の間隙を有して第１軸部分１１が水平状態に突設されている。
【００３７】
一方、上方の筒状取付け部２５と前記嵌入部分９との間に多少の間隙を有して第２軸部分１２が水平状態に突設されている。これら第１軸部分１１及び第２軸部分１２も台座７の嵌入部分として位置付けることができる。したがって、本実施例では、台座７の裏側に形成された嵌入部分は複数個であり、これらの嵌入部分は全て扉１の内部に入り込んでいる。
【００３８】
ところで、前記第１軸部分１１には、図４及び図５で示すように、長尺の板状第１連動片１７が取り付けられている。本実施例では、第１連動片１７の下端部１７ｂは環状に形成され、その環状下端部１７ｂは番号を付さない座板や固着具を介して第１軸部分１１に回転可能に取り付けられている。板状の第１連動片１７は、その上端部が角度（例えば直交）方向に折り曲げ形成され、係合端部１７ａと成っている。
【００３９】
一方、第２軸部分１２は、本実施例では、連結部分兼用軸部として構成されている。この第２軸部分１２には、カム機能を有する環状盤形態の第２連結片１８が回転自在に嵌着している。第２連結片１８は、周縁部に第１連動片１７の係合端部１７ａと係合する爪片状の第１係合部１８ａと、錠箱４側のラッチ板用仮施錠片６と係合する第２係合突片１８ｂとを有している。第２係合突片１８ｂは、図５で示すように、第１係合部１８ａが「６時方向」に位置している時は、「１４時方向」に位置している。
【００４０】
ところで、環状盤の第２連結片１８は、第２軸部分１２から外れないように中央部に嵌合孔を有し、かつ、周囲に複数個の取付け突片部２９ａを有する押さえ板２９に支持されている。なお、押さえ板２９は複数個の固着具を介して台座７の裏側に取り外し可能に装着されている。
【実施例】
【００４１】
図８及び図９は、本発明の一実施例の構成をそのまま含む利用発明（第２発明）を示す。具体的構成やその作用に関しては、第１実施例の説明を援用する。当業者にとっては、図８及び図９から自明にように、この第２発明は、扉１の壁面２に対して、１個の長尺状の台座７Ａを介してハンドル装置を上下（或いは取付け如何によっては左右）に合計２個設けている。
【００４２】
したがって、操作部材１５Ａの垂直握り部１５ａは、縦長状のハンドルと成っている。また、操作部材１５Ａの水平アーム部１５ｂ，１５ｂも合計２本となっている。
しかして、ハンドル装置の操作部材１５Ａは、第１実施例と同様にプッシュ・プル式であり、これに対応する台座７Ａの板状露呈部分８は第１実施例よりも長い。第２実施例では、ハンドル装置の連動部材１７，１８は同一形態であり、対称的に上下に配設されている。つまり、上下で「一組」を構成している。
【００４３】
このように構成しても、第１実施例と同一の作用・効果を有することは前述したとおりである。
【図面の簡単な説明】
【００４４】
図１乃至図７は本発明の一実施例（第１発明）を示す各説明図。図８及び図９は、本発明の一実施例の構成をそのまま含む利用発明（第２発明）の各説明図である。
【図１】平面視からの概略説明図。
【図２】側面視からの概略説明図。
【図３】ハンドル装置の主な構成部材とその連動関係を示す説明図。
【図４】具体的な内部構造を示す側面視からの概略断面説明図。
【図５】具体的な内部構造を示す台座の裏側から見た説明図。
【図６】具体的な内部構造を示す底面視から見た概略断面説明図。
【図７】錠箱側のラッチ用解錠片との位置関係を示す説明図。
【図８】利用発明（第２発明）の具体的な内部構造を示す側面視からの概略断面説明図。
【図９】利用発明（第２発明）の具体的な内部構造を示す台座の裏側から見た説明図。
【符号の説明】
【００４５】
１…扉、２…壁面、３…嵌合凹所、４…錠箱、５…ラッチ板、６…仮施錠片、６ａ…仮施錠片の係合部、７，７Ａ…台座、８…台座の板状露呈部分、９…台座の裏側の嵌入部分、１０…操作部材用横向き凹所部分、１１…第１軸部分、１２…第２軸部分、１５，１５Ａ…操作部材、１５ａ…握り部、１５ｂ…アーム部、１６…駆動片、１６ａ…先端部分、１７…第１連動片、１８…第２連動片、１８ａ…第１係合部、１８ｂ…第２係合部、２１…切欠部、２２…軸受け、２３…案内開口、２４…復帰バネ、２９…押さえ板。
【図１】
2006322214.tif 000003
【図２】
2006322214.tif 000004
【図３】
2006322214.tif 000005
【図４】
2006322214.tif 000006
【図５】
2006322214.tif 000007
【図６】
2006322214.tif 000008
【図７】
2006322214.tif 000009
【図８】
2006322214.tif 000010
【図９】
2006322214.tif 000011